(57)【要約】【課題】読み取った画像中の表面の画像を裏面の画像と誤認識することにより表面の画像が除去されたり、読み取った画像中の裏面の画像を表面の画像と誤認識することにより読み取った画像中に裏写り画像が残ってしまったりする等の誤補正をなくし、ユーザの意図する品質の画像を得る。【解決手段】画像読取装置が読み取って表示器５５に表示させた画像Ｐ中の指定した指定エリア１００に含まれる画像に対して、該画像から裏写り画像を除去する裏写り除去補正を行なうようにした。これによって、指定エリア１００に含まれる画像に対してのみ裏写り除去補正が行われる。【選択図】    図４
2004159286.tif 000002
【特許請求の範囲】
【請求項１】
画像データに基づく画像を表示部に表示させる表示装置と、
前記表示部に表示された画像に対するエリア指定を受け付けるエリア指定手段と、
前記エリア指定手段が受け付けた指定エリアに含まれる画像から裏写り画像を除去する裏写り除去補正を行なう裏写り除去補正手段と、
を具備する画像処理装置。
【請求項２】
前記裏写り除去補正手段は、前記エリア指定手段が受け付けた指定エリアに含まれる画像を表画像として裏写り除去補正を行なう請求項１記載の画像処理装置。
【請求項３】
前記エリア指定手段が受け付けた指定エリアに含まれる画像が表画像であることを宣言する表宣言手段を具備する請求項２記載の画像処理装置。
【請求項４】
前記裏写り除去補正手段は、前記エリア指定手段が受け付けた指定エリアに含まれる画像を裏画像として裏写り除去補正を行なう請求項１記載の画像処理装置。
【請求項５】
前記エリア指定手段が受け付けた指定エリアに含まれる画像が裏画像であることを宣言する裏宣言手段を具備する請求項４記載の画像処理装置。
【請求項６】
裏写り画像色を指定する裏写り画像色指定手段を具備し、
前記裏写り除去補正手段は、前記裏写り画像色指定手段が指定した裏写り画像色で形成された画像を裏画像として裏写り除去補正を行なう請求項１記載の画像処理装置。
【請求項７】
背景色を指定する背景色指定手段を具備し、
前記裏写り除去補正手段は、前記裏写り画像色指定手段が指定した裏写り画像色で形成された画像を裏画像として除去するとともに除去部分の画像を前記背景色指定手段が指定した背景色とする請求項６記載の画像処理装置。
【請求項８】
前記エリア指定手段が指定した指定エリアを明示した画像を前記表示部に表示させる指定エリア明示手段を具備し、
前記裏写り画像色指定手段は、前記指定エリア明示手段が前記表示部に表示させた画像上で指定された箇所の画像色で形成された画像を裏写り画像色とする請求項６または７記載の画像処理装置。
【請求項９】
前記エリア指定手段が指定した指定エリアを明示した画像を前記表示部に表示させる指定エリア明示手段を具備し、
前記背景色指定手段は、前記指定エリア明示手段が前記表示部に表示させた画像上で指定された箇所の画像色を背景色とする請求項７記載の画像処理装置。
【請求項１０】
前記エリア指定手段は、前記表示部に表示された画像に対する複数のエリア指定を受け付ける請求項１ないし９のいずれか一に記載の画像処理装置。
【請求項１１】
前記裏写り除去補正手段が裏写り除去補正を行なった画像を前記表示部に表示させる再表示手段を具備し、
前記エリア指定手段は、前記再表示手段が前記表示部に表示させた画像に対するエリア指定を受け付ける請求項１ないし１０のいずれか一記載の画像処理装置。
【請求項１２】
原稿画像の読み取りにより画像データを入力する画像入力装置と、
前記画像入力装置が入力した画像データに対して裏写り除去補正を行なう請求項１ないし１１のいずれか一に記載の画像処理装置と、
を具備する画像読取装置。
【請求項１３】
請求項１２記載の画像読取装置と、
前記画像読取装置が裏写り除去補正を行なった画像データに基づく画像を記録媒体に形成する画像形成装置と、
を具備する複写装置。
【請求項１４】
原稿画像の読み取りにより画像データを入力する画像入力装置と、
前記画像入力装置が入力した画像データに対して裏写り除去補正を行なう請求項１１記載の画像処理装置と、
前記画像読取装置が裏写り除去補正を行なった画像データに基づく画像を記録媒体に形成する画像形成装置と、
前記画像形成装置に対して、前記画像処理装置の再表示手段が表示部に表示させた画像を記録媒体に形成させる形成画像指定手段と、
を具備する複写装置。
【発明の詳細な説明】
【０００１】
【発明の属する技術分野】
本発明は、画像処理装置、画像読取装置、および、複写装置に関する。
【０００２】
【従来の技術】
両面に画像が形成された原稿を読み取る場合に、表面の画像に裏面の画像が裏写りしたいわゆる裏写り画像となってしまうことがある。従来より、このような裏写り画像から裏面の画像を除去して表面の画像のみとする裏写り除去機能を備える画像処理装置がある。
【０００３】
また、従来では、スキャン（プレスキャン）した原稿の画像を表示するディスプレイエディタを有して、このディスプレイエディタ上に表示された画像の加工方法をユーザが設定し、設定した加工方法にしたがって加工した画像を出力するようにした画像形成装置がある。
【０００４】
【発明が解決しようとする課題】
しかし、上述したような従来の裏写り除去機能では、裏写り画像中の表面の画像が裏面の画像と誤認識されて、表面の画像も除去されてしまうことが懸念される。
【０００５】
また、上述したように、ユーザが設定した加工方法にしたがって加工した画像を出力する画像形成装置でも、裏写り除去補正を行なった画像に対して、さらに裏写り除去精度を向上させるようにした技術はない。
【０００６】
本発明の目的は、読み取った画像中の表面の画像を裏面の画像と誤認識することにより表面の画像が除去されたり、読み取った画像中の裏面の画像を表面の画像と誤認識することにより読み取った画像中に裏写り画像が残ってしまったりする等の誤補正をなくし、ユーザの意図する品質の画像を得ることである。
【０００７】
【課題を解決するための手段】
請求項１記載の発明の画像処理装置は、画像データに基づく画像を表示部に表示させる表示装置と、前記表示部に表示された画像に対するエリア指定を受け付けるエリア指定手段と、前記エリア指定手段が受け付けた指定エリアに含まれる画像から裏写り画像を除去する裏写り除去補正を行なう裏写り除去補正手段と、を具備する。
【０００８】
したがって、エリア指定手段によって受け付けた指定エリアに含まれる画像に対してのみ裏写り除去補正が行われる。
【０００９】
請求項２記載の発明は、請求項１記載の画像処理装置において、前記裏写り除去補正手段は、前記エリア指定手段が受け付けた指定エリアに含まれる画像を表画像として裏写り除去補正を行なう。
【００１０】
したがって、エリア指定手段によって受け付けた指定エリアに含まれる画像が表画像とされて裏写り除去補正が行われる。
【００１１】
請求項３記載の発明は、請求項２記載の画像処理装置において、前記エリア指定手段が受け付けた指定エリアに含まれる画像が表画像であることを宣言する表宣言手段を具備する。
【００１２】
したがって、エリア指定手段によって受け付けた指定エリアに含まれる画像を表画像とする裏写り除去補正を行なうか否かが選択自在となる。
【００１３】
請求項４記載の発明は、請求項１記載の画像処理装置において、前記裏写り除去補正手段は、前記エリア指定手段が受け付けた指定エリアに含まれる画像を裏画像として裏写り除去補正を行なう。
【００１４】
したがって、エリア指定手段によって受け付けた指定エリアに含まれる画像が裏画像とされて裏写り除去補正が行われる。
【００１５】
請求項５記載の発明は、請求項４記載の画像処理装置において、前記エリア指定手段が受け付けた指定エリアに含まれる画像が裏画像であることを宣言する裏宣言手段を具備する。
【００１６】
したがって、エリア指定手段によって受け付けた指定エリアに含まれる画像を裏画像とする裏写り除去補正を行なうか否かが選択自在となる。
【００１７】
請求項６記載の発明は、請求項１記載の画像処理装置において、裏写り画像色を指定する裏写り画像色指定手段を具備し、前記裏写り除去補正手段は、前記裏写り画像色指定手段が指定した裏写り画像色で形成された画像を裏画像として裏写り除去補正を行なう。
【００１８】
したがって、裏写り画像色指定手段によって指定された裏写り画像色で形成された画像のみが裏写り画像として除去される。
【００１９】
請求項７記載の発明は、請求項６記載の画像処理装置において、背景色を指定する背景色指定手段を具備し、前記裏写り除去補正手段は、前記裏写り画像色指定手段が指定した裏写り画像色で形成された画像を裏画像として除去するとともに除去部分の画像を前記背景色指定手段が指定した背景色とする。
【００２０】
したがって、背景色指定手段によって指定された色が背景色として裏写り除去補正が行なわれる。
【００２１】
請求項８記載の発明は、請求項６または７記載の画像処理装置において、前記エリア指定手段が指定した指定エリアを明示した画像を前記表示部に表示させる指定エリア明示手段を具備し、前記裏写り画像色指定手段は、前記指定エリア明示手段が前記表示部に表示させた画像上で指定された箇所の画像色で形成された画像を裏写り画像色とする。
【００２２】
したがって、表示部に表示させた画像上で指定された箇所の画像色で形成された画像が裏写り画像色とされるため、裏写り画像色を確実に指定することができる。
【００２３】
請求項９記載の発明は、請求項７記載の画像処理装置において、前記エリア指定手段が指定した指定エリアを明示した画像を前記表示部に表示させる指定エリア明示手段を具備し、前記背景色指定手段は、前記指定エリア明示手段が前記表示部に表示させた画像上で指定された箇所の画像色を背景色とする。
【００２４】
したがって、表示部に表示させた画像上で指定された箇所の画像色が背景色とされるため、背景色を確実に指定することができる。
【００２５】
請求項１０記載の発明は、請求項１ないし９のいずれか一に記載の画像処理装置において、前記エリア指定手段は、前記表示部に表示された画像に対する複数のエリア指定を受け付ける。
【００２６】
したがって、複数の指定エリアに含まれる画像に対して裏写り除去補正が行われる。
【００２７】
請求項１１記載の発明は、請求項１ないし１０のいずれか一記載の画像処理装置において、前記裏写り除去補正手段が裏写り除去補正を行なった画像を前記表示部に表示させる再表示手段を具備し、前記エリア指定手段は、前記再表示手段が前記表示部に表示させた画像に対するエリア指定を受け付ける。
【００２８】
したがって、裏写り除去補正を行なった画像に対して再度裏写り除去補正を行なうことが可能になる。
【００２９】
請求項１２記載の発明の画像読取装置は、原稿画像の読み取りにより画像データを入力する画像入力装置と、前記画像入力装置が入力した画像データに対して裏写り除去補正を行なう請求項１ないし１１のいずれか一に記載の画像処理装置と、を具備する。
【００３０】
したがって、画像入力装置が読み取った画像から裏写り画像を除去することが可能になる。
【００３１】
請求項１３記載の発明の複写装置は、請求項１２記載の画像読取装置と、前記画像読取装置が裏写り除去補正を行なった画像データに基づく画像を記録媒体に形成する画像形成装置と、を具備する。
【００３２】
したがって、裏写り画像が除去された画像が記録媒体に形成される。
【００３３】
請求項１４記載の発明の複写装置は、原稿画像の読み取りにより画像データを入力する画像入力装置と、前記画像入力装置が入力した画像データに対して裏写り除去補正を行なう請求項１１記載の画像処理装置と、前記画像読取装置が裏写り除去補正を行なった画像データに基づく画像を記録媒体に形成する画像形成装置と、前記画像形成装置に対して、前記画像処理装置の再表示手段が表示部に表示させた画像を記録媒体に形成させる形成画像指定手段と、を具備する。
【００３４】
したがって、裏写り除去補正を行なった画像に対して再度裏写り除去補正を行ない、ユーザが要求する品質の画像のみを記録媒体に形成することができる。
【００３５】
【発明の実施の形態】
本発明の第１の実施の実施の形態を、図１ないし図１２を参照して説明する。本実施の形態は、複写装置としてデジタル複写機への適用例である。
【００３６】
図１は、本実施の実施の形態のデジタル複写機の概略構成を示す縦断正面図である。デジタル複写機１は、原稿の画像を読み取る画像入力装置としての画像読取ユニット２と、画像読取ユニット２で読み取った原稿の画像データに基づいた画像形成を電子写真方式で行なう画像形成装置としての画像形成ユニット３とを備えている。
【００３７】
まず、画像読取ユニット２について説明する。画像読取ユニット２は、読取装置４と、自動原稿送り装置（以降、ＡＤＦ）５とを備えている。
【００３８】
読取装置４は、上面に原稿が載置されるコンタクトガラス６を備えている。コンタクトガラス６の下方には、露光ランプ７、ミラー８を搭載する第１キャリッジ９と、ミラー１０，１１を搭載する第２キャリッジ１２とが設けられている。原稿は、読取面を図１中下側にしてコンタクトガラス６上に載置される。第１，第２キャリッジ９，１２は、コンタクトガラス６に沿って往復動自在に設けられており、コンタクトガラス６上に載置された原稿画像の読み取りに際しては、メインモータ７１（図５参照）によって、２対１の速度比で走行される。このとき、露光ランプ７を点灯させることで、原稿画像を露光走査することができる。原稿画像からの反射光は、ミラー８，１０，１１で順次反射され、レンズ１３を介してＣＣＤイメージセンサ１４に結像される。これにより、原稿の画像が光学的に読み取られる。光学的に読み取られた原稿の画像は、ＣＣＤイメージセンサ１４で電気信号に変換され、後述する各種画像処理に供される。
【００３９】
ＡＤＦ５は、原稿台１５にセットされたシート状の原稿を一枚ずつコンタクトガラス６上に自動的に供給する装置である。原稿台１５にセットされた原稿は、給送ローラ１６によってＡＤＦ５内に搬送され、複数の搬送ローラ１７に巻回された搬送ベルト１８よってＡＤＦ５内を一定速度で搬送される。搬送ローラ１７は、搬送モータ５ａ（図５参照）によって回転駆動される。ＡＤＦ５によって搬送される原稿画像の読み取りに際しては、第１、第２キャリッジ９，１２を位置固定した状態とし、露光ランプ７による照射位置を原稿が一定の速度で通過する際に該原稿を露光ランプ７によって照射することで画像を読み取る。画像読み取り後の原稿は、排送ローラ１９を介して排紙スタッカ部２０に排紙される。
【００４０】
また、ＡＤＦ５は、原稿台１５にセットされたことを検知する原稿セット検知センサ２１を備えている。原稿セット検知センサ２１は、原稿台１５上にセットされた原稿の有無に応じて出力が変化する。
【００４１】
次に、画像形成ユニット３について説明する。画像形成ユニット３内には、給紙部２２から、縦搬送部２３、画像形成エンジン２４、定着部２５、排紙部２６等を経由して排紙トレイ２７へ至る用紙案内路２８が形成されている。
【００４２】
給紙部２２は、用紙を積層保持する第１，第２および第３給紙トレイ２９，３０，３１と、各給紙トレイ２９，３０，３１に設けられて積層された用紙を一枚ずつに分離して縦搬送部２３に給送する第１，第２および第３給紙機構３２，３３，３４とを備えている。第１，第２および第３給紙機構３２，３３，３４は、それぞれピックアップローラ３５やリバースローラ３６等によって構成されており、第１，第２および第３給紙トレイ２９，３０，３１に積層保持された用紙を一枚ずつに分離して用紙案内路へ送り出す。ピックアップローラ３５やリバースローラ３６は、第１，第２および第３クラッチ７２，７３，７４（図５参照）を介してメインモータ７１（図５参照）の駆動力が伝達されて回転駆動される。
【００４３】
縦搬送部２３には、給紙部２２の第１，第２または第３給紙トレイ２９，３０または３１から給紙された用紙を、それぞれ画像形成エンジン２４へ搬送するための複数の搬送ローラ３７を備えている。
【００４４】
画像形成エンジン２４には、感光体３８が配置されている。この感光体３８の周囲には、感光体３８の表面を一様に帯電させる帯電器３９、感光体３８の表面をレーザ光により露光走査することで潜像を形成するレーザ出力ユニット４０、潜像に対してトナーを付着させることでトナー像を形成する現像器４１、このトナー像を縦搬送部２３から給紙された用紙に転写させる転写器４２、転写器４２とローラ４３とに巻回されて用紙を所定方向へ搬送する搬送ベルト４４、および、感光体３８表面に残存するトナーを除去するクリーナー（図示せず）が設けられている。
【００４５】
定着部２５は、トナー像が転写された用紙が画像形成エンジン２４を通過する際に、この用紙に対して加圧および加熱してトナーを定着させる。
【００４６】
排紙部２６は、用紙の両面に画像を形成する場合に、片面に画像が形成された用紙を、図示しない切替爪の切り替えにより、排紙トレイ２７へ導かずに、反転ユニット４５へ搬送するように動作する。
【００４７】
反転ユニット４５は、画像形成エンジン２４より用紙搬送方向下流側で用紙案内路２８から分岐する反転路４６と、反転路４６へ搬送された用紙をスイッチバック反転する反転機構４７とを備えている。反転機構４７で反転された用紙は、再給紙路４８を経由して縦搬送部２３または反転排紙路４９を介して排紙トレイ２７へ搬送される。このために、上述した縦搬送部２３は、第１，第２または第３給紙トレイ２９，３０または３１から給紙された用紙に加えて、再給紙路４８から給紙された用紙を画像形成エンジン２４に搬送する。
【００４８】
加えて、デジタル複写機１は、図２に示すように、ユーザによる操作を受け付けるテンキー５０やクリア／ストップキー５１、プリントキー５２、モードクリアキー５３等の各種操作キーが配列された操作キー部５４や、各種の情報を表示する表示装置としての表示器５５等を有する操作部５６を備えている。表示器５５は、例えば、液晶等によって構成されている。
【００４９】
表示器５５の表示面側には、タッチパネル５７が積層されている。デジタル複写機１が待機状態等にある場合、表示器５５には、図３に示す初期画面５５Ａのように、タッチパネル５７に割り当てられる各種操作キーの位置を案内するイラスト等が表示される。例えば、初期画面５５Ａは、コピー濃度を設定する濃度設定部５８、カラー／白黒／シングルカラー／２色等のようにカラーモードを設定するカラー選択部５９、読み取る原稿の種類を指定する原稿種類指定部６０、画像を形成する用紙の種類を指定する用紙選択部６１、変倍率を設定する変倍設定部６２に加えて、ソート／スタック／ステープル等の画像形成モードを設定する画像形成モード設定部６３等が割り当てられており、これらの各部に表示された操作キーのイラストをタッチすることにより、コピーに際しての各種条件を設定することができる。また、初期画面５５Ａには、「裏写り除去設定」キー６４が割り当てられている。
【００５０】
詳細は後述するが、初期画面５５Ａが表示されている状態で「裏写り除去設定」キー６４が操作されることにより、表示器５５には、図４に示す裏写り除去設定画面５５Ｂが表示される。裏写り除去設定画面５５Ｂには、後述する裏写り除去補正処理に際して、画像読取ユニット２により読み取った原稿画像が表示される表示部としてのディスプレイエディタ６５、ディスプレイエディタ６５に表示された画像のうち裏写り除去補正を行なう指定エリア１００を指定するための各種エリア指定キーが配列されたエリア指定部６６、および、裏写り除去補正を開始させる「補正」キー６７等が割り当てられている。エリア指定部６６には、除去補正を行なう指定エリア１００の形状を選択するエリア形状選択キー６６ａや、指定エリア１００の選択・確定・消去等を行なう指定エリア設定キー６６ｂ等が配列されている。後述する裏写り除去処理に際しては、エリア形状選択キー６６ａにより指定エリア１００の形状を選択した後、図示しないポインティングデバイスにより指定エリア１００の位置や大きさを設定することができる。ポインティングデバイスとしては、専用のタッチペンであってもよいし、ユーザの指等であってもよい。
【００５１】
次に、図５に基づいて、デジタル複写機１の制御系の電気的な接続について作用的に説明する。図５は、デジタル複写機１の制御系の電気的な接続を示すブロック図である。デジタル複写機１は、各部を集中的に制御するメインコントローラ７０を備えている。メインコントローラ７０は、感光体３８等を駆動するメインモータ７１、図示しないスキャナ駆動モータ、メインモータ７１の駆動力を第１，第２および第３給紙機構３２，３３，３４におけるピックアップローラ３５やリバースローラ３６へ伝達する第１，第２および第３クラッチ７２，７３，７４、および、メインモータ７１の駆動力を縦搬送部２３における搬送ローラ３７に伝達する中間クラッチ７５を駆動制御する。メインコントローラ７０には、操作部５６、ＡＤＦ５、画像処理ユニット（ＩＰＵ）７６等の各種分散制御装置が接続されている。ＡＤＦ５は、メインコントローラ７０との間でのデータ通信によって、搬送モータ５ａを駆動して給送ローラ１６や搬送ローラ１７を駆動制御したり、原稿セット検知センサ２１によって原稿台１５上に原稿がセットされたことによる出力変化をメインコントローラ７０に伝達したりする。
【００５２】
また、メインコントローラ７０には、デジタル複写機１を別のデジタル複写機（図示せず）やプリンタ等の複数の画像形成装置（図示せず）に接続して使用する際に、装置の構成や機能情報、動作制御に関する情報等の送受信を行なうための連結Ｉ／Ｆ７７が接続されている。公知の技術であるため説明を省略するが、メインコントローラ７０は、連結Ｉ／Ｆ７７を介して、接続された画像形成装置からの要求を獲得し、動作を自動設定することにより連結動作の制御を行なったり、あるいは、接続された他の画像形成装置からの要求を獲得して自機の動作制御を行なったりする。
【００５３】
次に、図６を参照して、ＩＰＵ７６についてさらに詳細に説明する。ＩＰＵ７６は、ＩＰＵ７６の各部を集中的に駆動制御するＣＰＵ７８に、制御プログラム等の固定的なデータを格納するＲＯＭ７９と、可変的なデータを書き換え自在に記憶してＣＰＵ７８のワークエリアとして機能するＲＡＭ８０とをバスライン接続することにより構成されており、ＣＰＵ７８によってＩＰＵ７６が備える各部を駆動制御することにより画像読取ユニット２で読み取った画像データの処理を行なう。特に図示しないが、ＲＡＭ８０には、例えば、後述する裏写り除去処理に際して、各種フラグを立てるフラグエリアや、各種カウンタバッファ等が確保されている。
【００５４】
画像読取ユニット２においてＣＣＤイメージセンサ１４により光学的に読み取った原稿の画像のアナログ信号の画像データは、Ａ／Ｄコンバータ８１に入力される。
【００５５】
Ａ／Ｄコンバータ８１は、入力されたアナログ信号の画像データをデジタル信号に変換し、シェーディング補正部８２に出力する。
【００５６】
シェーディング補正部８２は、デジタル信号に変換された画像データに対してシェーディング補正を行ない、ＭＴＦ補正・γ補正部８３に出力する。なお、公知の技術であるため、シェーディング補正については説明を省略する。
【００５７】
ＭＴＦ補正・γ補正部８３は、シェーディング補正後の画像データに対して、ＭＴＦ補正、γ補正等を行い変倍処理部８４に出力する。なお、公知の技術であるため、ＭＴＦ補正、γ補正については説明を省略する。
【００５８】
変倍処理部８４は、入力された画像データに対して所定の変倍率に合せた拡大縮小を行ない、該画像データをセレクタ８５へ出力する。
【００５９】
セレクタ８５は、入力された画像データを書き込みγ補正部８６またはメモリコントローラ８７のいずれか一方に出力するように、画像データの出力先を切替える。ここで、図７は、セレクタ８５における１ページ分の画像データの信号処理について説明する。図７中、／ＦＧＡＴＥは、１ページの画像データの副走査方向の有効期間を表している。／ＬＳＹＮＣは、１ライン毎の主走査同期信号であり、この信号が立ち上がった後の所定クロックで、画像信号が有効となる。主走査方向の画像信号が有効であることを示す信号が、／ＬＧＡＴＥである。これらの信号は、画素クロックＶＣＬＫに同期しており、ＶＣＬＫの１周期に対し１画素８ビット（２５６階調）のデータが送られてくる。本実施の形態では、画像データは２５５に近いほど白画像になるものとする。
【００６０】
書き込みγ補正部８６は、入力された画像データに設定された作像条件に応じて、該画像データの書き込みγを補正し、補正後の画像データをレーザ出力ユニット４０に出力する。レーザ出力ユニット４０は、書き込みγ補正部８６からの画像データに基づいて、レーザ光源のＯＮ／ＯＦＦを駆動制御するとともに、図示しないポリゴンモータを回転させることで感光体３８に対して静電潜像を書き込む。
【００６１】
メモリコントローラ８７は、セレクタ８５との間での画像データの入出力が自在な構成とされており、セレクタ８５を介して入力された画像データを図示しない画像圧縮装置によって圧縮した後、該画像データを画像メモリ８８に書き込む。
【００６２】
ここで、最大画像サイズ分の２５６階調の画像データをそのまま画像メモリ８８に書き込む事も可能であるが、この場合原稿画像一枚分の画像データでも画像メモリ８８における容量を大変多く使用する。このため、本実施の形態のように、画像データを圧縮することにより、限られた画像メモリ８８を有効に利用することができる。また、画像データを圧縮することにより、一度に多くの原稿画像データを記憶することが出来るため、ソート機能として、貯えられた原稿画像イメージデータをページ順に出力する事ができる。このような場合、画像メモリ８８のデータをメモリコントローラ８７内の図示しない伸長装置で順次伸長しながら出力を行なう。このような機能は、一般に、「電子ソート」と呼ばれている。
【００６３】
また、画像メモリ８８の機能を利用して、複数枚の原稿画像を、画像メモリ８８の転写紙一枚分のエリアを分割したエリアに順次読み込む事も可能となる。例えば４枚の原稿画像を、画像メモリ８８の転写紙一枚分の４等分されたエリアに順次書き込む事で、４枚の原稿が一枚の転写紙イメージに合成され集約されたコピー出力を得ることが可能となる。
【００６４】
このような機能は、一般に、「集約コピー」と呼ばれている。なお、「電子ソート」および「集約コピー」の機能については、公知の技術であるため説明を省略する。
【００６５】
画像メモリ８８は、多くの画像データを収納するため、ハードディスクによって実現するようにしてもよい。複数の定型の原稿（フォーマット原稿）を画像読取ユニットで読み込んで保持するためには、画像メモリ８８としてハードディスクを用いることが一般的であり、ハードディスクを画像メモリ８８として用いる事により、外部電源を不要とし、画像メモリ８８内に画像データを永久的に保持することができる。
【００６６】
画像メモリ８８に書き込まれた画像データは、ＣＰＵ７８からアクセスすることが可能である。これによって、例えば、画像の間引き処理、画像の切り出し処理等、画像メモリ８８に書き込まれた画像データを加工することが可能となる。加工に際しては、メモリコントローラ８７が有する図示しないレジスタにデータを書き込む事で、該画像メモリ８８に書き込まれた画像データに対する加工処理を行なう事ができる。なお、加工された画像は、再度画像メモリ８８に保持される。
【００６７】
また、メモリコントローラ８７には上述した連結Ｉ／Ｆ７７が接続されており、上述した連結動作等に際して、メモリコントローラ８７は、この連結Ｉ／Ｆ７７を介して受信した画像データを画像メモリ８８に書き込む。連結Ｉ／Ｆは、画像メモリに書き込まれた画像データの転送に際して、デジタル複写機１と別の画像形成装置との間でのデータ転送速度に応じて、画像メモリから順次画像データを読み出し転送する。
【００６８】
加えて、ＩＰＵ７６には、ＣＰＵ７８によって読み出されて画像メモリ８８に書き込まれた画像データを、操作部５６に転送するＩ／Ｏポート８９が設けられている。
【００６９】
次に、デジタル複写機１が実行する各種処理について説明する。デジタル複写機１は、電源投入時に図８に示すイベント待ち受け処理を実行する。
【００７０】
イベント待ち受け処理では、ユーザによって電源が投入されることにより、初期化処理を行なう（ステップＳ１）。
【００７１】
公知の技術であるため説明を省略するが、ステップＳ１で実行する初期化処理では、主に、ＲＡＭ８０における各種フラグのリセット、各種カウンターのクリア、画像メモリ８８のクリア、画像形成モード（変倍、分割など）のリセット等を行なう。
【００７２】
初期化処理の終了後、イベントの発生を判断するまで待機する（ステップＳ２）。ここで、イベントとは、例えば、画像形成エンジン２４の動作やユーザによる操作部５６でのキー入力等のデジタル複写機１に発生する何等かの変化要因である。例えば、ＡＤＦ５に原稿をセットすることにより原稿セット検知センサ２１からの出力信号に変化が生じると、この変化が「何等かの変化」となり、画像形成エンジン２４でのエンジンイベントとして通知される。また、ユーザによる操作部５６の操作により何等かのキーが操作されると、このキー操作による入力信号が「何等かの変化」となり、操作部５６からキー入力イベントとして通知される。
【００７３】
イベントの発生を判断した場合には（ステップＳ２のＹ）、発生したイベントがエンジンイベントであるかキー入力イベントであるかを判定する（ステップＳ３）。
【００７４】
エンジンイベントであると判定した場合は（ステップＳ３のＹ）、エンジンイベント処理が呼び出され（ステップＳ４）、キー入力イベントであると判定した場合は（ステップＳ３のＮ）、キー入力イベント処理が呼び出されて（ステップＳ５）、ステップＳ２に進む。
【００７５】
次に、ステップＳ５で実行されるキー入力イベント処理について図９を参照して説明する。キー入力イベント処理では、図９に示すように、プリントキー５２、テンキー５０、クリアストップキー５１、および、タッチパネル５７に割り当てられた各種操作キーのいずれかのキー操作があったと判断するまで待機しており（ステップＳ１０〜Ｓ１６のＮ）、いずれかのキー操作があったと判断した場合には（ステップＳ１０，Ｓ１１，Ｓ１２，Ｓ１３，Ｓ１４，Ｓ１５またはＳ１６のＹ）、操作されたキーに応じて「コピー処理」、「テンキー処理」、「クリア／ストップ処理」、「印字設定処理」、「両面設定処理」、「フォーマット設定処理」または「その他のキー処理」のいずれかの処理をそれぞれ実行する。なお、プリントキー５２、テンキー５０、クリアストップキー５１、および、タッチパネル５７に割り当てられた各種操作キーのいずれかのキー操作によって実行される「コピー処理」、「テンキー処理」、「クリア／ストップ処理」、「印字設定処理」、「両面設定処理」、「フォーマット設定処理」は、公知の技術であるため説明を省略する。
【００７６】
次に、その他のキーとして図３中６４で示す「裏写り除去設定」キーが操作された場合に実行されるキー入力処理である「裏写り除去処理」について図１０を参照して説明する。
【００７７】
裏写り除去処理では、図１０に示すように、「裏写り除去設定」キー６４が操作されたと判断すると（ステップＳ２０のＹ）、ＡＤＦ５を駆動して原稿台１５にセットされた原稿をコンタクトガラス６上に搬送するとともに、画像読取ユニット２を駆動してコンタクトガラス６上を搬送される原稿画像をスキャンする（ステップＳ２１）。
【００７８】
なお、本実施の形態では、ＡＤＦ５によって搬送される原稿画像をスキャンするようにしたが、これに限るものではなく、例えば、コンタクトガラス６上にセットされた原稿画像をスキャンするようにしてもよい。
【００７９】
スキャンにより得られた画像データを、ＩＰＵ７６によって画像メモリ８８に書き込み（ステップＳ２２）、画像メモリ８８に書き込まれた画像データをＩ／Ｏポート８９を介して表示器５５に表示させる（ステップＳ２３）。一般に、表示器５５の画面表示解像度は、画像読取ユニット２による読取解像度よりも低いため、ステップＳ２３では、画像メモリ８８に書き込まれた画像データを間引きして表示器５５に出力する。これによって、表示器５５には、図４（ｂ）に示すように、スキャン画像Ｐがディスプレイエディタ６５に表示される。
【００８０】
ユーザは、表示器５５のディスプレイエディタ６５に表示された画像Ｐに応じて、指定エリア設定キー６６ｂを操作することによって裏写り除去補正が必要である指定エリア１００を指定し、指定エリア確定キーを操作して指定エリア１００を確定した後、「補正」キー６７を操作することによって裏写り除去補正処理の実行を宣言する。指定エリア１００の指定に際しては、エリア形状選択キー６６ａの操作により、任意の指定エリア形状を選択する。次に、選択した指定エリア形状の大きさをマウス等のポインティングデバイスの操作によって決定し、指定エリア形状およびその大きさが確定したら「エリア確定」キーを操作する。ここに、エリア指定手段としての機能が実現される。このため、本実施の形態では、ディスプレイエディタ６５上で指定される指定エリア１００が、ディスプレイエディタ６５に表示された画像Ｐに対して指定されるエリアとなる。
【００８１】
「補正」キー６７が操作されることにより裏写り除去補正処理の実行が宣言されたと判断するまで待機し（ステップＳ２４のＮ）、裏写り除去補正処理の実行が宣言されたと判断した場合には（ステップＳ２４のＹ）、裏写り除去補正処理を実行する（ステップＳ２５）。ここに、裏写り除去補正手段としての機能が実行される。また、本実施の形態では、ステップＳ２２からステップＳ２５までの処理によって、画像処理装置としての機能が実現され、ステップＳ２１からステップＳ２５までの処理によって、画像処理装置としての機能が実現される。
【００８２】
なお、ステップＳ２５で実行する裏写り除去補正処理は、特開２００１−１６９０８０公報に開示されている技術と同様であるため詳細な説明を省略するが、概ね、図１１に示すような裏写り除去補正処理を実行する。すなわち、ステップＳ２５で実行する裏写り除去補正処理は、まず、ステップＳ２１におけるスキャンによって入力されたカラー画像の解像度を縮小し（ステップＳ３０）、縮小したカラー画像におけるカラー座標系を独立性が高いものに変換する（ステップＳ３１）。
【００８３】
続いて、エッジ強度計算を行い（ステップＳ３２）、二値化処理を行うことによってエッジを検出する（ステップＳ３３）。
【００８４】
ステップＳ３３で検出したエッジに基づいて、エッジ以外の領域に対してカラー閾値処理を行う（ステップＳ３４）。この閾値処理によって背景色画像が推定される。
【００８５】
そして、推定した背景色画像に基づいて、裏写り除去画像を合成する（ステップＳ３５）。
【００８６】
原画像と裏写り除去画像とのエッジ強度を計算し（ステップＳ３６）、計算したエッジ強度からエッジ差分画像を生成する（ステップＳ３７）。
【００８７】
ステップＳ３７で生成したエッジ差分に基づいて二値化処理を行いエッジを検出する（ステップＳ３８）。ステップＳ３８の処理によって、例えば、不適切な処理等によって画像が劣化している個所を検出することができる。
【００８８】
ステップＳ３８で検出した画像が劣化している個所の周囲で、処理スケール（ウィンドウサイズ）を縮小して処理を再度実行する（ステップＳ３９，Ｓ４０）。
【００８９】
裏写り除去画像と縮小原画像の差分計算により裏写り部分を同定し（ステップＳ４１）、元の解像度の原画像での裏写り部分の除去を行う（ステップＳ４２）。
【００９０】
ここで、図１２は、図１１に示す裏写り除去補正処理の実行に関与する各部の電気的接続を機能的に示すブロック図である。上述した裏写り除去補正処理は、図１２に示す機能ブロック図における各部の処理によって実現される。図１２に示すように、スキャンにより得られた画像データは、上述の画像メモリ８８および像加工部９０に入力される。
【００９１】
像加工部９０に入力された画像データは、像加工部９０においてディスプレイエディタ６５に表示可能な解像度に調整される。
【００９２】
画像メモリ８８に入力された画像データは、裏写り成分除去処理部９１に入力される。この裏写り成分除去処理部９１は、裏写り除去補正処理を実行する各部によって実現されるが、本実施の形態では、主に、ＣＰＵ７８によって実現される。
【００９３】
裏写り成分除去処理部９１には、また、エリアメモリ９２に記憶されるエリア識別コードが入力される。このエリア識別コードは、ディスプレイエディタ６５上で指定された指定エリア１００を特定するデータであり、例えば、指定エリア１００の外形を示す座標情報あるいはその座標情報を特定する何らかのコード等である。エリアメモリ９２は、ディスプレイエディタに表示可能な画像サイズ分のエリア識別コードを記憶可能な容量を有している。
【００９４】
裏写り成分除去処理部９１は、裏写り除去補正処理の実行に際して、ディスプレイエディタ６５に表示された画像中で指定された指定エリア１００を識別するエリア識別コードと、このエリア識別コードによって識別される領域における画像に対して行う処理を示す処理内容データとを対応付けて記憶する処理内容指定テーブル９３を参照する。本実施の形態では、処理内容指定テーブル９３は、ＲＡＭ８０に確保されている。処理内容指定テーブル９３に記憶されるエリア識別コードは、エリアメモリ９２に記憶されたエリア識別コードと同じである。そして、各エリア識別コードに対応付けられる処理内容データは、例えば、各エリア識別コードに基づき識別される指定エリア１００中の画像から裏写り画像の除去を行うか否かを指定するデータである。すなわち、指定エリア１００中の画像に対して裏写り除去補正処理を行うか否かを指定するデータである。なお、エリア識別コードは、上述したようにユーザの操作によってディスプレイエディタ６５上で指定エリアが指定されることによって設定される。
【００９５】
本実施の形態によれば、スキャンした画像Ｐ上で裏写り除去補正を行なう指定エリア１００をユーザが任意に設定することにより、スキャンした画像Ｐのうち裏写り除去補正が必要であるとユーザが判断した指定エリア１００のみに対して裏写り除去補正を行なうことができるので、裏写り画像中の表面の画像を裏面の画像と誤認識することにより表面の画像が除去されてしまうことがなく、誤補正をなくし、ユーザの意図する出力画像を得ることができる。
【００９６】
そして、裏写り除去補正処理実行後の画像データに基づいて画像形成エンジン２４を駆動して、裏写り除去補正した画像を用紙に形成する（ステップＳ２６）。これによって、品質の良好な画像を形成することができる。
【００９７】
次に、本発明の第２の実施の形態について説明する。なお、第１の実施の形態と同一部分は同一符号で示し、説明も省略する。以下、同様とする。
【００９８】
特に図示しないが、本実施の形態のデジタル複写機１は、図１０で説明した裏写り除去処理と同様の処理を実行するが、図１０中ステップＳ２５で示す裏写り除去補正処理が第１の実施の形態と異なる。
【００９９】
本実施の形態の裏写り除去補正処理では、「補正」キー６７が操作されることにより裏写り除去補正処理の実行が宣言されたと判断すると、「補正」キー６７の操作に先立つキー操作により指定された指定エリア１００における画像を表画像とし、この表画像から表画像と裏画像とを分類するためのスレッシュレベルを取得する。そして、指定された表画像から取得したスレッシュレベルに基づいて、このスレッシュレベルよりも濃度の低い（高階調）画像を裏画像として除去する。本実施の形態では、「補正」キー６７の操作により表宣言手段としての機能が実現される。
【０１００】
本実施の形態によれば、指定された指定エリア１００における画像を表画像とし、この表画像に基づいて取得したスレッシュレベルに応じて裏写り画像を除去するため、裏写り画像中の表面の画像を裏面の画像と誤認識による誤補正をなくし、ユーザの意図する品質の高い画像を出力することができる。
【０１０１】
なお、本実施の形態では、裏写り除去設定画面５５Ｂの「補正」キーが操作されることにより、指定された指定エリア１００における画像を表画像とし、この表画像から取得されるスレッシュレベルに基づいて裏写り除去補正処理を行なうようにしたが、これに限るものではなく、例えば、初期画面が表示されている状態で「裏写り除去設定」キー６４が操作されることにより、図１３に示すように、ディスプレイエディタ６５や各種操作キー６６に加えて、「表画像」キー６６ｍが割り当てられた裏写り除去設定画面５５Ｃを表示させ、「補正」キーの操作に先立って「表画像指定」キー６６ｍが操作されていた場合に、指定された指定エリア１００における画像を表画像とした裏写り除去補正処理を行なうようにしてもよい。この場合、「表画像」キー６６ｍの操作により表宣言手段としての機能が実現される。
【０１０２】
次に、本発明の第３の実施の形態について図１４を参照して説明する。
【０１０３】
特に図示しないが、本実施の形態のデジタル複写機１は、図１０で説明した裏写り除去処理と同様の処理を実行するが、図１０中ステップＳ２５で示す裏写り除去補正処理が第１の実施の形態と異なる。
【０１０４】
本実施の形態の裏写り除去補正処理では、「補正」キー６７が操作されることにより裏写り除去補正処理の実行が宣言されたと判断すると、「補正」キー６７の操作に先立つキー操作により指定された指定エリア１００における画像を裏画像とし、この裏画像から表画像と裏画像とを分類するためのスレッシュレベルを取得する。そして、指定された表画像から取得したスレッシュレベルに基づいて、このスレッシュレベルよりも濃度の低い（高階調）画像を裏画像として除去する。本実施の形態では、「補正」キー６７の操作により裏宣言手段としての機能が実現される。
【０１０５】
本実施の形態によれば、指定された指定エリア１００における画像を裏画像とし、この裏画像に基づいて取得したスレッシュレベルに応じて裏写り画像を除去するため、裏写り画像中の表面の画像を裏面の画像と誤認識による誤補正をなくし、ユーザの意図する品質の高い画像を出力することができる。
【０１０６】
なお、本実施の形態では、裏写り除去設定画面５５Ｂの「補正」キー６７が操作されることにより、指定された指定エリア１００における画像を裏画像とし、この裏画像から取得されるスレッシュレベルに基づいて裏写り除去補正処理を行なうようにしたが、これに限るものではなく、例えば、初期画面５５Ａが表示されている状態で「裏写り除去設定」キー６４が操作されることにより、図１２に示すように、ディスプレイエディタや各種操作キーに加えて、「裏画像」キー６６ｎが割り当てられた裏写り除去設定画面５５Ｃを表示させ、「補正」キーの操作に先立って「裏画像指定」キーが操作されていた場合に、指定された指定エリア１００における画像を裏画像とした裏写り除去補正処理を行なうようにしてもよい。この場合、「裏画像」キー６６ｎの操作により裏宣言手段としての機能が実現される。
【０１０７】
次に、本発明の第４の実施の形態について図１５を参照して説明する。本実施の形態のデジタル複写機は、上述の実施の形態において説明した処理と同様に裏写り除去処理を行うが、ステップＳ２５で示す裏写り除去補正処理の実行に際して、裏写り画像色を指定できる点が上述の実施の形態と異なる。
【０１０８】
図１５は、本発明の第４の実施の形態のデジタル複写機の表示器に表示される裏写り除去設定画面を示す平面図である。本実施の裏写り除去設定画面５５Ｅには、「裏画像色指定」キー６６ｈが設けられている。この「裏画像色指定」キー６６ｈが、上述した各種実施の形態と同様にしてスキャン画像Ｐがディスプレイエディタ６５に表示された状態で操作されることにより、表示器５５には図１４に示すような裏写り除去指定画面６６ｉがポップアップ表示される。
【０１０９】
裏写り除去指定画面６６ｉには、裏写り画像色であるとして除去の対象となる色を表示する裏画像色表示窓６６ｊや、背景色とする色を表示する背景色表示窓６６ｋが設けられている。裏画像色表示窓６６ｊに表示される裏写り画像色は、色調指定部６６ｊ１，６６ｊ２，６６ｊ３の各部におけるスクロールボタンを操作することによってＹ（イエロー），Ｍ（マゼンタ），Ｃ（シアン）の各色の強度を調整することによって任意の裏写り画像色を指定することができる。背景色表示窓６６ｋに表示される背景色も裏写り画像色と同様に、色調指定部６６ｋ１，６６ｋ２，６６ｋ３の各部におけるスクロールボタンを操作することによってＹ（イエロー），Ｍ（マゼンタ），Ｃ（シアン）の各色の強度を調整することによって任意の裏写り画像色を指定することができる。ここに、裏写り画像色指定手段としての機能、および、背景色指定手段としての機能が実現される。
【０１１０】
なお、本実施の形態では、ディスプレイエディタ６５に表示させたスキャン画像Ｐ中で、指定エリア１００によって指定された箇所がユーザに対して視覚的に明示されるように、指定エリア１００の外形が前述した各種実施の形態よりも強調されて示されている。図１５中では、実線で示されている。ここに、指定エリア明示手段としての機能が実現されている。
【０１１１】
本実施の形態のデジタル複写機１は、裏写り画像補正処理の実行に際して、指定された指定エリア１００の画像に対して設定された裏写り画像色と背景色とに基づいてスレッシュレベルを取得し、取得したスレッシュレベルに応じて上述した各種実施の形態と同様にして裏写り画像を除去する。
【０１１２】
これにより、表画像を裏写り画像として誤認識することを防止し、表画像と裏画像との誤認識による誤補正をなくし、ユーザの意図する品質の高い画像を得ることができる。また、指定した任意の色を背景色として裏写り除去補正を行なうことで、ユーザの意図する画像により近づけた品質の高い画像を得ることができる。
【０１１３】
次に、本発明の第５の実施の形態について図１６を参照して説明する。本実施の形態のデジタル複写機は、裏写り画像色および背景色の指定方法が上述した第４の実施の形態と異なる。
【０１１４】
本実施の形態では、上述した各種実施の形態と同様にしてスキャン画像Ｐがディスプレイエディタ６５に表示された状態で「裏画像色指定」キー６６ｈが操作されることによって、図１６に示すような裏写り除去指定画面６６ｉ’が表示器５５にポップアップ表示される。ここで、図１６は、本発明の第５の実施の形態のデジタル複写機の表示器に表示される裏写り除去設定画面を示す平面図である。裏写り除去指定画面６６ｉ’には、裏写り画像色であるとして除去の対象となる色を表示する裏画像色表示窓６６ｊや、背景色とする色を表示する背景色表示窓６６ｋが設けられている。
【０１１５】
裏画像色表示窓６６ｊに表示される裏写り画像色は、裏写り除去補正設定画面５５中に表示されたポインタ９５を用い、このポインタ９５によって指定エリア１００中で裏写り画像色で形成された画像を指示することによって指定することができる。背景色表示窓６６ｋに表示される背景色も裏写り画像色と同様に、裏写り除去補正設定画面５５中に表示されたポインタ９５を用い、このポインタ９５によって指定エリア１００中で背景色を指示することによって指定することができる。
【０１１６】
加えて、本実施の形態の裏写り除去指定画面６６ｉ’には、裏画像色表示窓６６ｊに表示されている色を裏写り画像色として裏写り画像補正処理を実行することを指示する「決定」キーＹｊや、背景色表示窓６６ｋに表示されている色を背景色として裏写り画像補正処理を実行することを指示する「決定」キーＹｋが設けられている。裏画像色表示窓６６ｊに表示されている色を裏写り画像色とするか否かは「決定」キーＹｊの操作の有無によって決定され、また、背景色表示窓６６ｋに表示されている色を背景色とするか否かは「決定」キーＹｋの操作の有無によって決定される。ここに、裏写り画像色指定手段としての機能、および、背景色指定手段としての機能が実現される。
【０１１７】
なお、本実施の形態においても図１５に示す裏写り除去設定画面５５Ｅと同様に、ディスプレイエディタ６５に表示させたスキャン画像Ｐ中で、指定エリア１００によって指定された箇所がユーザに対して視覚的に明示されるように、指定エリア１００の外形が前述した各種実施の形態よりも強調されて示されている（図１６中実線で示す）。ここに、指定エリア明示手段としての機能が実現されている。
【０１１８】
本実施の形態のデジタル複写機１は、裏写り画像補正処理の実行に際して、指定された指定エリア１００の画像に対して設定された裏写り画像色と背景色とに基づいてスレッシュレベルを取得し、取得したスレッシュレベルに応じて上述した各種実施の形態と同様にして裏写り画像を除去する。
【０１１９】
本実施の形態によれば、裏写り画像を直接指示することによって、裏写り画像色を確実に指定することができるので、表画像を裏写り画像として誤認識したり表画像と裏画像とを誤認識したりすることによる誤補正をなくし、ユーザの意図する品質の高い画像を得ることができる。また、本実施の形態によれば、背景部分を直接指示することによって、背景色を確実に指定することができるので、表画像と裏画像との誤認識による誤補正をなくし、ユーザの意図する品質の高い画像をより確実に得ることができる。
【０１２０】
次に、本発明の第６の実施の形態について図１７を参照して説明する。
【０１２１】
本実施の形態のデジタル複写機１では、「裏写り除去設定」キー６４の操作によって表示される裏写り除去設定画面５５Ｂ中のディスプレイエディタ内で、複数の指定エリア１００を指定することができる。
【０１２２】
本実施の形態では、指定エリア１００の指定に際して、エリア形状選択キー６６ａの操作により形状を選択し、ポインティングデバイス等によって大きさを決定した上で、「エリア確定」キーを操作することにより一の指定エリア１００を確定してから「補正」キー６７を操作するまでの間、同様の手順により複数の指定エリア１００を設定することができる。
【０１２３】
特に図示しないが、裏写り除去処理に際しては、設定された複数の指定エリア１００の全てに対して裏写り除去補正を行ない、設定された全ての指定エリア１００に対して裏写り除去補正を行なった画像を出力する。
【０１２４】
これによって、裏写り画像が表画像中に点在する場合等でも、裏写り画像中の表面の画像を裏面の画像と誤認識による誤補正をなくし、ユーザの意図する品質の高い画像を出力することができる。
【０１２５】
次に、本発明の第７の実施の形態について図１８を参照して説明する。
【０１２６】
図１８は、本実施の形態のデジタル複写機１が実行する裏写り除去処理について概略的に説明するフローチャートである。本実施の形態の裏写り処理では、図１８中ステップＳ２０からステップＳ２５までは、図１０中ステップＳ２０からステップＳ２５までと同様の処理を実行し、ステップＳ２５で裏写り除去補正処理を行なった画像データに基づく画像をディスプレイエディタに表示させる（ステップＳ３０）。ここに、再表示手段としての機能が実行される。
【０１２７】
ユーザは、ディスプレイエディタ６５に表示された裏写り除去補正処理後の画像を視認し、該画像を用紙に形成する場合にはプリントキー５２を操作し、該画像にさらなる裏写り除去を行なう場合には裏写り除去補正が必要である指定エリア１００を再度指定して「補正」キー６７を操作する。
【０１２８】
プリントキー５２が操作されたと判断した場合には（ステップＳ３１のＹ）、裏写り除去補正処理後の画像データに基づく画像を用紙に形成する（ステップＳ２６）。ここに、裏写り除去補正処理後の画像をディスプレイエディタ６５に表示させた状態でプリントキー５２が操作されることにより形成画像指定手段としての機能が実現される。
【０１２９】
一方、「補正」キー６７が操作されたと判断した場合には（ステップＳ３２のＹ）、ステップＳ２５に進み、裏写り除去補正処理後の画像データの指定された指定エリアに１００対して、裏写り除去補正処理を行なう。
【０１３０】
なお、ステップＳ２５では、上述した各種実施の形態のうちいずれの実施の形態で説明した裏写り除去補正処理を実行してもよい。
【０１３１】
本実施の形態のデジタル複写機１によれば、「補正」キー６７の操作により裏写り除去処理を行なった画像データに基づく画像の出力に先立って、裏写り除去処理を行なった画像データに基づく画像がディスプレイエディタ６５に表示されるため、裏写り除去補正後の画像をユーザが直ちに認識することができ、例えば、補正結果が不十分である画像を用紙に形成することなく、再度裏写り除去補正を行なうことができる。これによって、裏写り除去の精度を向上させることができる。
【０１３２】
これによって、不必要な画像形成を行なったり用紙を不必要に消費したりすることなく、必要な箇所を適切に補正した品質の高い画像を形成することができる。
【０１３３】
また、スキャンした画像のうち裏写り除去補正が必要であるとユーザが判断した指定エリア１００のみに対して裏写り除去補正が行われた品質の良好な画像を形成することができる。
【０１３４】
【発明の効果】
請求項１記載の発明の画像処理装置によれば、指定エリアに含まれる画像に対してのみ裏写り除去補正を行なうことにより、例えば、両面に画像が形成された両面原稿を読み取ることで得られる入力画像中に、表面の画像と裏面の画像とが混在している場合にも、表面の画像を裏面の画像と誤認識することにより表面の画像が除去されたり、入力画像中の裏面の画像を表面の画像と誤認識することにより読み取った画像中に裏写り画像が残ってしまったりする等の誤補正をなくし、ユーザの意図する品質の画像を得ることができる。
【０１３５】
請求項２記載の発明によれば、請求項１記載の画像処理装置において、指定エリアに含まれる画像を表画像として裏写り除去補正を行なうことにより、表画像と裏画像との誤認識による誤補正をなくし、ユーザの意図する品質の高い画像を得ることができる。
【０１３６】
請求項３記載の発明によれば、請求項２記載の画像処理装置において、指定エリアに含まれる画像を表画像とする裏写り除去補正を行なうか否かを選択自在とすることで、使い勝手のよい画像処理装置を提供することができる。
【０１３７】
請求項４記載の発明によれば、請求項１記載の画像処理装置において、指定エリアに含まれる画像を裏画像として裏写り除去補正を行なうことにより、表画像と裏画像との誤認識による誤補正をなくし、ユーザの意図する品質の高い画像を得ることができる。
【０１３８】
請求項５記載の発明は、請求項４記載の画像処理装置において、指定エリアに含まれる画像を裏画像とする裏写り除去補正を行なうか否かを選択自在とすることで、使い勝手のよい画像処理装置を提供することができる。
【０１３９】
請求項６記載の発明によれば、請求項１記載の画像処理装置において、指定された裏写り画像色で形成された画像のみを裏写り画像として除去することで、表画像を裏写り画像として誤認識することを防止し、表画像と裏画像との誤認識による誤補正をなくし、ユーザの意図する品質の高い画像を得ることができる。
【０１４０】
請求項７記載の発明によれば、請求項６記載の画像処理装置において、指定された色を背景色として裏写り除去補正を行なうことで、ユーザの意図する画像により近づけた品質の高い画像を得ることができる。
【０１４１】
請求項８記載の発明によれば、請求項６または７記載の画像処理装置において、表示部に表示させた画像上で指定された箇所の画像色で形成された画像を裏写り画像色とすることで、裏写り画像色を確実に指定することができ、表画像と裏画像との誤認識による誤補正をなくし、ユーザの意図する品質の高い画像を得ることができる。
【０１４２】
請求項９記載の発明によれば、請求項７記載の画像処理装置において、表示部に表示させた画像上で指定された箇所の画像色を背景色とすることで、背景色を確実に指定することができ、表画像と裏画像との誤認識による誤補正をなくし、ユーザの意図する品質の高い画像を得ることができる。
【０１４３】
請求項１０記載の発明によれば、請求項１ないし９のいずれか一に記載の画像処理装置において、複数の指定エリアに含まれる画像に対して裏写り除去補正を行なうことにより、より品質の高い画像を得ることができる。
【０１４４】
請求項１１記載の発明によれば、請求項１ないし１０のいずれか一記載の画像処理装置において、裏写り除去補正を行なった画像に対して再度裏写り除去補正を行なうことが可能になるので、より品質の良好な画像を得ることができる。
【０１４５】
請求項１２記載の発明の画像読取装置によれば、例えば、両面に画像が形成された両面原稿を画像入力装置により読み取ることで得られる画像から裏写り画像のみを除去することが可能になるので、読み取った画像中の表面の画像を裏面の画像と誤認識することにより表面の画像が除去されたり、読み取った画像中の裏面の画像を表面の画像と誤認識することにより読み取った画像中に裏写り画像が残ってしまったりする等の誤補正をなくし、ユーザの意図する品質の画像を得ることができる。
【０１４６】
請求項１３記載の発明の複写装置によれば、裏写り画像を除去した画像を記録媒体に形成することにより、品質の良好な画像を複写することができる。
【０１４７】
請求項１４記載の発明の複写装置によれば、裏写り除去補正を行なった画像に対して再度裏写り除去補正を行ない、ユーザが要求する品質の画像のみを記録媒体に形成することができるので、より品質の良好な画像を複写することができる。
【図面の簡単な説明】
【図１】本発明の第１の実施の形態のデジタル複写機の概略構成を示す縦断正面図である。
【図２】操作部を示す平面図である。
【図３】初期画面を示す平面図である。
【図４】裏写り除去設定画面を示す平面図である。
【図５】デジタル複写機の制御系の電気的な接続を示すブロック図である。
【図６】ＩＰＵが備える各部について説明するブロック図である。
【図７】セレクタにおける１ページ分の画像データの信号処理について説明するタイミングチャートである。
【図８】イベント待ち受け処理について概略的に説明するフローチャートである。
【図９】キー入力イベント処理について概略的に説明するフローチャートである。
【図１０】裏写り除去処理について概略的に説明するフローチャートである。
【図１１】裏写り除去補正処理について概略的に説明するフローチャートである。
【図１２】裏写り除去補正処理の実行に関与する各部の電気的接続を機能的に示すブロック図である。
【図１３】本発明の第２の実施の形態のデジタル複写機における裏写り除去設定画面の一例を示す平面図である。
【図１４】本発明の第３の実施の形態のデジタル複写機における裏写り除去設定画面の一例を示す平面図である。
【図１５】本発明の第４の実施の形態のデジタル複写機の表示器に表示される裏写り除去設定画面を示す平面図である。
【図１６】本発明の第５の実施の形態のデジタル複写機の表示器に表示される裏写り除去設定画面を示す平面図である。
【図１７】本発明の第６の実施の形態のデジタル複写機における裏写り除去設定画面を示す平面図である。
【図１８】本発明の第７の実施の形態のデジタル複写機が実行する裏写り除去処理について概略的に説明するフローチャートである。
【符号の説明】
１      複写装置
２      画像入力装置
３      画像形成装置
５５      表示装置
６５      表示部
１００      指定エリア
【図１】
2004159286.tif 000003
【図２】
2004159286.tif 000004
【図３】
2004159286.tif 000005
【図４】
2004159286.tif 000006
【図５】
2004159286.tif 000007
【図６】
2004159286.tif 000008
【図７】
2004159286.tif 000009
【図８】
2004159286.tif 000010
【図９】
2004159286.tif 000011
【図１０】
2004159286.tif 000012
【図１１】
2004159286.tif 000013
【図１２】
2004159286.tif 000014
【図１３】
2004159286.tif 000015
【図１４】
2004159286.tif 000016
【図１５】
2004159286.tif 000017
【図１６】
2004159286.tif 000018
【図１７】
2004159286.tif 000019
【図１８】
2004159286.tif 000020